(57)【要約】 タッチボタン及び指紋認証を実現する装置、方法、端末機器、並びにプログラム及び記録媒体を提供する。指紋認証センサーは複数のサブセンサーを含み、指紋認証センサーは、オールインワンスイッチがオンのとき複数のサブセンサーでの検出により生成される信号を指紋認証回路に伝送し、オールインワンスイッチがオフのときオールインワンスイッチを介して複数のサブセンサーでの検出により生成される信号をタッチ信号に合併してタッチボタン回路に伝送する。指紋認証回路は、複数のサブセンサーでの検出により生成される信号を処理する。タッチボタン回路は、合併されたタッチ信号によってタッチ操作が生成されるかを判断する。指紋認証センサーを共用することで指紋認証とタッチボタンの機能を実現でき、これらの機能を実現するための外部要素を１つの要素になるように集積して、電子機器の集積度を向上させて、ユーザーの操作利便性を向上できる。【選択図】図２
2017506403.tif 000002
【特許請求の範囲】
【請求項１】
複数のサブセンサーを含む指紋認証センサー、指紋認証回路、オールインワンスイッチ、及び、タッチボタン回路を備え、
前記複数のサブセンサーは、それぞれ前記指紋認証回路に接続され、それぞれ前記オールインワンスイッチに接続され、前記オールインワンスイッチは、前記タッチボタン回路に接続され、
前記指紋認証センサーは、前記オールインワンスイッチがオンされると、前記複数のサブセンサーでの検出により生成される信号をそれぞれ前記指紋認証回路に伝送し、前記オールインワンスイッチがオフされると、前記オールインワンスイッチを介して前記複数のサブセンサーでの検出により生成される信号をタッチ信号に合併して前記タッチボタン回路に伝送するように構成され、
前記指紋認証回路は、前記複数のサブセンサーでの検出により生成される信号を処理するように構成され、
前記タッチボタン回路は、合併されたタッチ信号によってタッチ操作が生成されるかを判断するように構成されることを特徴とする、
タッチボタン及び指紋認証を実現する装置。
【請求項２】
前記オールインワンスイッチは、端末機器のホストの命令によってオン・オフするように構成されることを特徴とする、
請求項１に記載のタッチボタン及び指紋認証を実現する装置。
【請求項３】
前記複数のサブセンサーは、ドットマトリクス状、又は長方形のマトリックス状に配列されることを特徴とする、
請求項１に記載のタッチボタン及び指紋認証を実現する装置。
【請求項４】
前記指紋認証回路は、
前記複数のサブセンサーでの検出により生成される信号をデジタル信号に変換し、前記デジタル信号を端末機器のホストに伝送するように構成される信号処理サブモジュールを備えることを特徴とする、
請求項１に記載のタッチボタン及び指紋認証を実現する装置。
【請求項５】
前記指紋認証回路は、
前記複数のサブセンサーでの検出により生成される信号によって指紋画像を生成し、前記指紋画像を端末機器のホストに伝送するように構成される画像生成サブモジュールを備えることを特徴とする、
請求項１に記載のタッチボタン及び指紋認証を実現する装置。
【請求項６】
前記指紋認証回路は、
前記複数のサブセンサーでの検出により生成される信号によって指紋画像を生成し、生成された指紋画像をサンプル画像と比較し、比較結果を端末機器のホストに伝送するように構成される比較サブモジュールを備えることを特徴とする、
請求項１に記載のタッチボタン及び指紋認証を実現する装置。
【請求項７】
前記タッチボタン回路は、
合併されたタッチ信号によってタッチ操作が生成されるかを判断し、判断結果を端末機器のホストに伝送するように構成される判断サブモジュールを備えることを特徴とする、
請求項１に記載のタッチボタン及び指紋認証を実現する装置。
【請求項８】
請求項１乃至請求項７のうちいずれか１項に記載のタッチボタン及び指紋認証を実現する装置を備える、
端末機器。
【請求項９】
オールインワンスイッチと複数のサブセンサーを含む指紋認証センサーとを備える端末機器に適用されるタッチボタン及び指紋認証を実現する方法において、前記方法は、
前記端末機器のホストの命令によって前記オールインワンスイッチをオン・オフするステップと、
前記オールインワンスイッチがオンされると、前記複数のサブセンサーでの検出により生成される信号を処理するステップと、
前記オールインワンスイッチがオフされると、前記オールインワンスイッチを介して前記複数のサブセンサーでの検出により生成される信号をタッチ信号に合併し、合併されたタッチ信号によってタッチ操作が生成されるかを判断するステップと、を含むことを特徴とする、
タッチボタン及び指紋認証を実現する方法。
【請求項１０】
前記複数のサブセンサーは、ドットマトリクス状、又は長方形のマトリックス状に配列されることを特徴とする、
請求項９に記載のタッチボタン及び指紋認証を実現する方法。
【請求項１１】
前記複数のサブセンサーでの検出により生成される信号を処理するステップは、
前記複数のサブセンサーでの検出により生成される信号をデジタル信号に変換し、前記デジタル信号を端末機器のホストに伝送するステップを含むことを特徴とする、
請求項９に記載のタッチボタン及び指紋認証を実現する方法。
【請求項１２】
前記複数のサブセンサーでの検出により生成される信号を処理するステップは、
前記複数のサブセンサーでの検出により生成される信号によって指紋画像を生成し、前記指紋画像を端末機器のホストに伝送するステップを含むことを特徴とする、
請求項９に記載のタッチボタン及び指紋認証を実現する方法。
【請求項１３】
前記複数のサブセンサーでの検出により生成される信号を処理するステップは、
前記複数のサブセンサーでの検出により生成される信号によって指紋画像を生成し、生成される指紋画像をサンプル画像と比較し、比較結果を端末機器のホストに伝送するステップを含むことを特徴とする、
請求項９に記載のタッチボタン及び指紋認証を実現する方法。
【請求項１４】
前記合併されたタッチ信号によってタッチ操作を生成するかを判断するステップは、
前記合併されたタッチ信号によってタッチ操作が生成されるかを判断し、判断結果を端末機器のホストに伝送するステップを含むことを特徴とする、
請求項９に記載のタッチボタン及び指紋認証を実現する方法。
【請求項１５】
プロセッサーと、
前記プロセッサーによって実行可能な命令を記憶するメモリと、を備え、
前記プロセッサーは、
端末機器のホストの命令によってオールインワンスイッチをオン・オフし、
前記オールインワンスイッチがオンされると、複数のサブセンサーでの検出により生成される信号を処理し、
前記オールインワンスイッチがオフされると、前記オールインワンスイッチを介して前記複数のサブセンサーでの検出により生成される信号をタッチ信号に合併し、合併されたタッチ信号によってタッチ操作が生成されるかを判断するように構成されることを特徴とする、
タッチボタン及び指紋認証を実現する装置。
【発明の詳細な説明】
【技術分野】
【０００１】
当該出願は、出願番号が２０１５１００５０８９３.５であって、出願日が２０１５年１月３０日であり、及び出願番号が２０１５１０００７４１６．０であって、出願日が２０１５年１月７日である中国特許出願を基礎として優先権を主張し、それらの中国特許出願の内容全体は、本願発明に援用される。
【０００２】
本発明は、電子デバイス技術分野に関し、更に詳細には、タッチボタン及び指紋認証を実現する装置、方法、並びに端末機器に関する。
【背景技術】
【０００３】
端末機器である携帯電話の機能が益々増えるにつれて、端末機器の益々多くなる新しい機能によって、ユーザーがより多くの便利を図ることができるようになる。
【０００４】
現在、指紋認証機能は、大きな端末機器メーカーの注目を浴び始めている。現在の端末機器、例えば、携帯電話、タブレットＰＣなどでは、ボタンと指紋認証機能との互換機能を実装するために、一般的に、設計される指紋認証機能は、断面図が図１で示される物理的ボタンの採用と組み合わされる。通常、このような設計を採用する場合、物理的なボタン０２は所定の距離の押し込みのみで機能するため、指紋認証機能領域に対応してカバーガラス０１に開口部を設ける必要がある。ユーザーが指紋認証センサー０３を軽くタッチすると、システムは指紋のみを認証することができ、また、ユーザーが指紋認証センサー０３を所定の距離だけ押し込むと、物理的なボタン０２が起動して、システムは指紋認証及びボタン押し込みの２つの動作を認識することができ、そして、上位レベルの需要に応じて対応する動作を抽出する。しかしながら、前記構造である場合、端末機器の全体的な外観が上記の構造に制限され、ユーザーの操作の利便性も制限される。
【発明の概要】
【発明が解決しようとする課題】
【０００５】
本発明は、関連技術に存在する問題を克服するために、端末機器の集積度を向上できるタッチボタン及び指紋認証を実現する装置、方法、並びに端末機器を提供する。
【課題を解決するための手段】
【０００６】
本発明の第１の態様によれば、タッチボタン及び指紋認証を実現する装置が提供され、前記装置は、
複数のサブセンサーを含む指紋認証センサー、指紋認証回路、オールインワン（ａｌｌ−ｉｎ−ｏｎｅ）スイッチ、及びタッチボタン回路を有し、
前記複数のサブセンサーは、それぞれ前記指紋認証回路に接続され、それぞれ前記オールインワンスイッチに接続され、前記オールインワンスイッチは、前記タッチボタン回路に接続され、
前記指紋認証センサーは、前記オールインワンスイッチがオン（ｏｎ）されると、前記複数のサブセンサーでの検出により生成される信号をそれぞれ前記指紋認証回路に伝送し、前記オールインワンスイッチがオフ（ｏｆｆ）されると、前記オールインワンスイッチを介して前記複数のサブセンサーでの検出により生成される信号をタッチ信号に合併して前記タッチボタン回路に伝送するように構成され、
前記指紋認証回路は、前記複数のサブセンサーでの検出により生成される信号を処理するように構成され、
前記タッチボタン回路は、合併されたタッチ信号によってタッチ操作が生成されるかを判断するように構成される。
【０００７】
一実施例では、前記オールインワンスイッチは、端末機器のホストの命令によってオン・オフするように構成されてもよい。
【０００８】
一実施例では、前記複数のサブセンサーは、ドットマトリクス状、又は長方形のマトリックス状に配列されてもよい。
【０００９】
一実施例では、前記指紋認証回路は、
前記複数のサブセンサーでの検出により生成される信号をデジタル信号に変換し、前記デジタル信号を端末機器のホストに伝送するように構成される信号処理サブモジュールを有してもよい。
【００１０】
一実施例では、前記指紋認証回路は、
前記複数のサブセンサーでの検出により生成される信号によって指紋画像を生成し、前記指紋画像を端末機器のホストに伝送するように構成される画像生成サブモジュールを有してもよい。
【００１１】
一実施例では、前記指紋認証回路は、
前記複数のサブセンサーでの検出により生成される信号によって指紋画像を生成し、生成された指紋画像をサンプル画像と比較し、比較結果を端末機器のホストに伝送するように構成される比較サブモジュールを有してもよい。
【００１２】
一実施例では、前記タッチボタン回路は、
合併されたタッチ信号によってタッチ操作が生成されるかを判断し、判断結果を端末機器のホストに伝送するように構成される判断サブモジュールを有してもよい。
【００１３】
また、本発明の第２の態様によれば、前記いずれかのタッチボタン及び指紋認証を実現する装置を有する端末機器が提供される。
【００１４】
また、本発明の第３の態様によれば、オールインワンスイッチと複数のサブセンサーを含む指紋認証センサーとを有する端末機器に適用されるタッチボタン及び指紋認証を実現する方法が提供され、前記方法は、
前記端末機器のホストの命令によって前記オールインワンスイッチをオン・オフするステップと、
前記オールインワンスイッチがオンされると、複数のサブセンサーでの検出により生成される信号を処理するステップと、
前記オールインワンスイッチがオフされると、前記オールインワンスイッチを介して前記複数のサブセンサーでの検出により生成される信号をタッチ信号に合併し、合併されたタッチ信号によってタッチ操作が生成されるかを判断するステップと、を含む。
【００１５】
一実施例では、前記複数のサブセンサーは、ドットマトリクス状、又は長方形のマトリックス状に配列されてもよい。
【００１６】
一実施例では、前記複数のサブセンサーでの検出により生成される信号を処理するステップは、
前記複数のサブセンサーでの検出により生成される信号をデジタル信号に変換し、前記デジタル信号を端末機器のホストに伝送するステップを含んでもよい。
【００１７】
一実施例では、前記複数のサブセンサーでの検出により生成される信号を処理するステップは、
前記複数のサブセンサーでの検出により生成される信号によって指紋画像を生成し、前記指紋画像を端末機器のホストに伝送するステップを含んでもよい。
【００１８】
一実施例では、前記複数のサブセンサーでの検出により生成される信号を処理するステップは、
前記複数のサブセンサーでの検出により生成される信号によって指紋画像を生成し、生成された指紋画像をサンプル画像と比較し、比較結果を端末機器のホストに伝送するステップを含んでもよい。
【００１９】
一実施例では、前記合併されたタッチ信号によってタッチ操作を生成するかを判断するステップは、
合併されたタッチ信号によってタッチ操作が生成されるかを判断し、判断結果を端末機器のホストに伝送するステップを含んでもよい。
【００２０】
また、本発明の第４の態様によれば、タッチボタン及び指紋認証を実現する装置が提供され、前記装置は、
プロセッサーと、
前記プロセッサーによって実行可能な命令を記憶するメモリと、を有し、
前記プロセッサーは、
端末機器のホストの命令によってオールインワンスイッチをオン・オフし、
前記オールインワンスイッチがオンされると、複数のサブセンサーでの検出により生成される信号を処理し、
前記オールインワンスイッチがオフされると、前記オールインワンスイッチを介して前記複数のサブセンサーでの検出により生成される信号をタッチ信号に合併し、合併されたタッチ信号によってタッチ操作が生成されるかを判断するように構成される。
【発明の効果】
【００２１】
本発明が提供した技術案によれば、少なくとも、以下のような有益な効果を奏することができる。即ち、指紋認証センサーを共用することで指紋認証とタッチボタンの機能を実現でき、指紋認証とタッチボタン機能を実現するための外部要素を１つの要素になるように集積して、電子機器の集積度を向上させて、ユーザーの操作利便性を向上できる。
【００２２】
なお、以上の一般的な記述と、以下の詳細の記述は、ただ例示的なものであって、本発明を限定するものではない。
【図面の簡単な説明】
【００２３】
ここの図面は、明細書に組み入れて本明細書の一部分を構成し、本発明に該当する実施例を例示するとともに、明細書とともに本発明の原理を解釈するように構成される。
【図１】現在の端末機器のタッチボタン構造を示す断面図である。
【図２】一例示的な実施例に係るタッチボタン及び指紋認証を実現する装置を示すブロック図である。
【図３】一例示的な実施例に係るサブセンサーをドットマトリクス状に配列した指紋認証の構成を示す説明図である。
【図４】一例示的な実施例に係るサブセンサーを長方形のマトリクス状に配列した指紋認証の構成を示す説明図である。
【図５】一例示的な第１の実施例に係るタッチボタン及び指紋認証を実現する装置を示すブロック図である。
【図６】一例示的な実施例に係るタッチボタン及び指紋認証を実現する方法を示すフローチャートである。
【図７】一例示的な実施例に係るタッチボタン及び指紋認証を実現する装置に適用されるブロック図である。
【発明を実施するための形態】
【００２４】
ここで、図面に示される例示的な実施例について詳細に説明する。以下、図面に関連して説明する際に、特別な説明がない限り、異なる図面での同一符号は、同一又は類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００２５】
図２は、一例示的な実施例に係るタッチボタン及び指紋認証を実現する装置を示すブロック図である。図２を参照すると、この装置は、複数のサブセンサーを有する指紋認証センサー２１、指紋認証回路２２、オールインワンスイッチ２３、及びタッチボタン回路２４を有する。
【００２６】
複数のサブセンサーはそれぞれ指紋認証回路２２に接続され、複数のサブセンサーはそれぞれオールインワンスイッチ２３に接続され、オールインワンスイッチ２３はタッチボタンの回路２４に接続される。
【００２７】
指紋認証センサー２１は、オールインワンスイッチ２３がオンされると、複数のサブセンサーでの検出により生成される信号を、それぞれ指紋認証回路２２に伝送し、オールインワンスイッチ２３がオフされると、複数のサブセンサーでの検出により生成される信号を、オールインワンスイッチ２３を介してタッチ信号に合併して、タッチ信号をタッチボタン回路２４に伝送する。
【００２８】
指紋認証回路２２は、複数のサブセンサーでの検出により生成される信号を処理する。
【００２９】
タッチボタン回路２４は、合併されたタッチ信号によってタッチ操作が生成されるかを判断する。
【００３０】
一実施例では、図３及び図４を参照すると、複数のサブセンサーはドットマトリクス状、又は長方形のマトリックス状に配列される。
【００３１】
指紋認証センサーには複数のサブセンサー３２が配列され、サブセンサー３２は、指紋のそれぞれの微細な肝心な情報を検出し、これらの肝心な情報によって指紋の画像を還元して、サンプル映像と一致しているかを対照して分析する。
【００３２】
ドットマトリクス状であっても長方形のマトリックスであっても、いずれもサブセンサーの配列を介して指の指紋信号を指紋認証回路２２に伝送し、さらに信号のフィルタリング、増幅、ＡＤサンプリングなどの処理を経て、指紋チップ（ｃｈｉｐ）に十分なデジタル信号を提供する。サイズが小さく、信号量が少なく、応答面積が小さく、感度が低いという個々の指紋認証センサーの特性のため、サブセンサーの配列は、指のタッチの検出に十分な信号を提供することができず、通常の指のタッチ機能を実現することができない。従って、オールインワンスイッチ２３をオフして、オールインワンスイッチ２３を介して複数のサブセンサーでの検出により生成される信号をタッチ信号に合併してタッチボタン回路２４に伝送する。これによって、タッチボタン回路２４に十分なエネルギーレベルを有する信号を提供することができる。
【００３３】
本発明の実施例が提供する技術案によれば、以下のような有益な効果を奏することができる。即ち、
指紋認証センサーを共用することで、指紋認証とタッチボタンの機能を実現でき、指紋認証とタッチボタン機能を実現するための外部要素を１つの要素になるように集積して、電子機器の集積度を向上させて、ユーザーの操作利便性を向上できる。
【００３４】
第１の実施例
図５は、一例示的な第１の実施例に係るタッチボタン及び指紋認証を実現する装置を示すブロック図である。図３に示すように、装置は、複数のサブセンサー３２を有する指紋認証センサー２１、指紋認証回路２２、オールインワンスイッチ２３、及びタッチボタン回路２４を有する。複数のサブセンサー３２は、長方形のマトリックス状に配列される。図３に示すように、複数のサブセンサー３２は、ドットマトリックス状に配列されてもよい。
【００３５】
本実施例では、指紋認証の構成において、センサーを共有し、新しいタッチボタンの構成を追加して、指紋認証とタッチボタンの兼用機能を実現する。
【００３６】
オールインワンスイッチ２３は、端末機器のホスト３１の命令によってオン・オフされ、指紋認証に応答する必要がある場合は、オールインワンスイッチ２３はオンされ、指紋認証回路２２は複数のサブセンサー３２の信号を取得して指紋認証機能を実現する。また、ホスト３１が指のタッチ機能に応答する場合は、オールインワンスイッチ２３はオフされ、サブセンサー３２のすべてが接続されて一つの大きなセンサーになり、タッチボタン回路２４は、大きなセンサーを介して指のタッチ信号を取得して、指のタッチ機能を完成する。上位レベルのホスト３１の需要に応じて、複数のサブセンサーは接続されて一つの大きなセンサーとなり、タッチボタン回路２４に十分に強い信号を提供することができ、同時に、指のタッチが要求する感度、応答面積、応答速度を保証することができる。
【００３７】
一実施例では、指紋認証回路２２は、
複数のサブセンサー３２での検出により生成される信号をデジタル信号に変換し、デジタル信号を端末機器のホスト３１に伝送するように構成される信号処理サブモジュールを有してもよい。
【００３８】
例えば、複数のサブセンサー３２での検出により生成される信号をフィルタリング、増幅、サンプリングして、複数のサブセンサー３２での検出により生成される信号をデジタル信号に変換する。
【００３９】
一実施例では、指紋認証回路２２は、
複数のサブセンサー３２での検出により生成される信号によって指紋画像を生成し、指紋画像を端末機器のホスト３１に伝送するように構成される画像生成サブモジュールを有してもよい。
【００４０】
一実施例では、指紋認証回路２２は、
複数のサブセンサー３２での検出により生成される信号によって指紋画像を生成し、生成される指紋画像をサンプル画像と比較し、比較結果を端末機器のホスト３１に伝送するように構成される比較サブモジュールを有してもよい。
【００４１】
一実施例では、タッチボタン回路２４は、
合併されたタッチ信号によってタッチ操作が生成されるかを判断し、判断結果を端末機器のホスト３１に伝送するように構成される判断サブモジュールを有してもよい。
【００４２】
本発明は、ＩＣ（集積回路）の処理を分離し、センサーを共有する方式を採用する。上記図面に示されたように、集積度がさらに高い方式を採用することもできる。例えば、オールインワンスイッチ２３をタッチボタン回路２４と一緒に同一のＩＣに集積してもよく、オールインワンスイッチ２３を指紋認証回路２２と一緒に同一のＩＣに集積してもよく、また、オールインワンスイッチ２３、指紋認証回路２２及びタッチボタン回路２４を同時に同一のＩＣに集積してもよい。これによって、集積度がもっと高い解決手段を提供することができる。
【００４３】
本発明の実施例が提供する技術案によれば、以下のような有益な効果を奏することができる。即ち、
指紋認証センサーを共用することで、指紋認証とタッチボタンの機能を実現でき、指紋認証とタッチボタン機能を実現するための外部要素を１つの要素になるように集積して、電子機器の集積度を向上させて、ユーザーの操作利便性を向上できる。
【００４４】
本発明は、いずれかのタッチボタン及び指紋認証を実現する装置を有するように構成される端末機器を提供する。
【００４５】
一実施例では、端末機器は、前記いずれかのタッチボタン及び指紋認証を実現する装置及びホストを有する。
【００４６】
本発明の実施例が提供する技術案によれば、以下のような有益な効果を奏することができる。即ち、
指紋認証センサーを共用することで、指紋認証とタッチボタンの機能を実現でき、指紋認証とタッチボタン機能を実現するための外部要素を１つの要素になるように集積して、電子機器の集積度を向上させて、ユーザーの操作利便性を向上できる。
【００４７】
図６は、一例示的な実施例に係るタッチボタン及び指紋認証を実現する方法を示すフローチャートであり、例えば、携帯電話や、タブレットＰＣなどの端末機器に適用される。端末機器は、オールインワンスイッチと、複数のサブセンサーを有する指紋認証センサーを含む。ここで、複数のサブセンサーはドットマトリクス状、又は長方形のマトリクス状に配列されてもよい。図６に示すように、ステップＳ６０１−ステップＳ６０３を含む。
【００４８】
ステップＳ６０１：端末機器のホストの命令によってオールインワンスイッチをオン・オフする。
【００４９】
ステップＳ６０２：オールインワンスイッチがオンされると、複数のサブセンサーでの検出により生成される信号を処理する。
【００５０】
一実施例では、前記複数のサブセンサーでの検出により生成される信号を処理するステップは、複数のサブセンサーでの検出により生成される信号をデジタル信号に変換し、デジタル信号を端末機器のホストに伝送するステップを含んでもよい。
【００５１】
例えば、複数のサブセンサーでの検出により生成される信号をフィルタリング、増幅、サンプリングして、複数のサブセンサーでの検出により生成される信号をデジタル信号に変換する。
【００５２】
本実施例では、複数のサブセンサーでの検出により生成される信号をデジタル信号に変換し、デジタル信号を端末機器のホストに伝送する。端末機器のホストは、受信されるデジタル信号によって指紋画像を生成し、指紋画像をサンプル画像と比較して比較結果を取得し、比較結果によって後続の操作を行う。例えば、比較結果によってロック解除をするかを判断し、比較結果が一致する場合ロックを解除し、比較結果が一致しない場合、ロックを解除しない。
【００５３】
一実施例では、前記複数のサブセンサーでの検出により生成される信号を処理するステップは、複数のサブセンサーでの検出により生成される信号によって指紋画像を生成して、指紋画像を端末機器のホストに伝送するステップを含んでもよい。
【００５４】
本実施例では、複数のサブセンサーでの検出により生成される信号によって指紋画像を生成し、指紋画像を端末機器のホストに伝送する。端末機器のホストは、指紋画像とサンプル画像とを比較して比較結果を取得し、比較結果によって後続の操作を行う。例えば、比較結果によってロック解除をするかを判断し、比較結果が一致する場合ロックを解除し、比較結果が一致しない場合ロックを解除しない。
【００５５】
一実施例では、前記複数のサブセンサーでの検出により生成される信号を処理するステップは、複数のサブセンサーでの検出により生成される信号によって指紋画像を生成し、生成される指紋画像をサンプル画像と比較し、比較結果を端末機器のホストに伝送するステップを含んでもよい。
【００５６】
本実施例では、複数のサブセンサーでの検出により生成される信号によって指紋画像を生成し、生成される指紋画像をサンプル画像と比較し、比較結果を端末機器のホストに伝送する。端末機器のホストは、比較結果によって後続の操作を行う。例えば、比較結果によってロック解除をするかを判断し、比較結果が一致する場合ロックを解除し、比較結果が一致しない場合ロックを解除しない。
【００５７】
ステップＳ６０３：オールインワンスイッチがオフされると、オールインワンスイッチを介して複数のサブセンサーでの検出により生成される信号をタッチ信号に合併し、合併されたタッチ信号によってタッチ操作が生成されるかを判断する。
【００５８】
一実施例では、前記合併されたタッチ信号によってタッチ操作が生成されるかを判断するステップは、合併されたタッチ信号によってタッチ操作が生成されるかを判断し、判断結果を端末機器のホストに伝送するステップを含んでもよい。
【００５９】
例えば、オールインワンスイッチは端末機器のホストの命令によってオン・オフされ、指紋認証に応答する必要がある場合は、オールインワンスイッチはオンされ、複数のサブセンサーの信号を取得して指紋認証機能を完成する。また、ホストが指のタッチ機能に応答する場合は、オールインワンスイッチはオフされ、サブセンサーのすべてが接続されて一つの大きなセンサーになり、当該大きなセンサーを介して指のタッチ信号を取得して指のタッチ機能を完成する。上位レベルのホストの需要に応じて、複数のサブセンサーを接続して一つの大きなセンサーを構成し、十分に強い信号を提供してタッチ操作が生成されるかを判断することができ、指のタッチが要求する感度、応答面積、応答速度を保証することができる。
【００６０】
本発明が提供する技術案によれば、以下のような有益な効果を奏することができる。即ち、指紋認証センサーを共用することで、指紋認証とタッチボタンの機能を実現でき、指紋認証とタッチボタン機能を実現するための外部要素を１つの要素になるように集積して、電子機器の集積度を向上させて、ユーザーの操作利便性を向上できる。
【００６１】
図７は、一例示的な実施例に係るタッチボタン及び指紋認証を実現する装置１２００のブロック図であり、当該装置は端末機器に適用される。例えば、装置１２００は、携帯電話、コンピュータ、デジタル放送端末機器、メッセージ送受信装置、ゲームコンソール、タブレット装置、医療設備、フィットネス装置、ＰＤＡなどであってもよい。
【００６２】
図７を参照すると、装置１２００は、処理ユニット１２０２、メモリ１２０４、電源ユニット１２０６、マルチメディアユニット１２０８、オーディオユニット１２１０、入出力（Ｉ／Ｏ）インターフェース１２１２、センサーユニット１２１４、及び通信ユニット１２１６からなる群から選ばれる少なくとも１つを有してもよい。
【００６３】
処理ユニット１２０２は、一般的には、装置１２００の全体の操作、例えば、表示、電話呼び出し、データ通信、カメラ操作、及び記録操作に関連する操作を制御する。処理ユニット１２０２は、上述した方法におけるステップの一部又は全部を実現できるように、命令を実行する少なくとも１つのプロセッサー１２２０を有してもよい。また、処理ユニット１２０２は、他のユニットとのインタラクションを便利にさせるように、少なくとも１つのモジュールを有してもよい。例えば、処理ユニット１２０２は、マルチメディアユニット１２０８との相互作用を容易にするように、マルチメディアモジュールを有してもよい。
【００６４】
メモリ１２０４は、装置１２００での操作をサポートするように、各種のデータを記憶するように配置される。これらのデータは、例えば、装置１２００で何れのアプリケーション又は方法を操作するための命令、連絡先データ、電話帳データ、メッセージ、画像、ビデオ等を有する。メモリ１２０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはこれらの組み合わせにより実現することができる。
【００６５】
電源ユニット１２０６は、装置１２００の各種ユニットに電力を供給するためのものであり、電源管理システム、１つ又は複数の電源、及び装置１２００のために電力を生成、管理及び分配することに関連する他のユニットを有してもよい。
【００６６】
マルチメディアユニット１２０８は、装置１２００とユーザーの間に出力インターフェースを提供するスクリーンを有してもよい。スクリーンは、例えば、液晶ディスプレイ（ＬＣＤ）やタッチパネル（ＴＰ）を有してもよい。スクリーンは、タッチパネルを有する場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１２０８は、フロントカメラ及び／又はバックカメラを有してもよい。装置１２００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。  
【００６７】
オーディオユニット１２１０は、オーディオ信号を出力及び／又は入力するように配置される。例えば、オーディオユニット１２１０は、マイクロフォン（ＭＩＣ）を有してもよい。装置１２００が、例えば、呼び出しモード、記録モード、又は音声認証モードのような操作モードにあるとき、マイクロフォンは、外部のオーディオ信号を受信するように配置される。受信したオーディオ信号は、メモリ１２０４にさらに記憶されてもよいし、通信ユニット１２１６を介して送信されてもよい。一実施例では、オーディオユニット１２１０は、オーディオ信号を出力するためのスピーカをさらに有してもよい。
【００６８】
Ｉ／Ｏインターフェース１２１２は、処理ユニット１２０２と外部のインターフェースモジュールの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、これらに限らない。
【００６９】
センサーユニット１２１４は、装置１２００のために各方面の状態を評価する少なくとも１つのセンサーを有してもよい。例えば、センサーユニット１２１４は、装置１２００のオン／オフ状態や、ユニットの相対的な位置を検出することができる。
【００７０】
例えば、ユニットが装置１２００のディスプレイ及びキーパッドである。センサーユニット１２１４は、装置１２００又は装置１２００の１つのユニットの位置の変化や、ユーザーが装置１２００に接触しているか否かや、装置１２００の方向又は加速／減速や、装置１２００の温度変化を検出することができる。センサーユニット１２１４は、何れの物理的な接触もない場合に付近の物体を検出するように配置される近接センサーを有してもよい。センサーユニット１２１４は、イメージアプリケーションに用いるための光センサー、例えば、ＣＭＯＳ又はＣＣＤ画像センサーを有してもよい。一実施例では、該センサーユニット１２１４は、加速度センサー、ジャイロスコープセンサー、磁気センサー、圧力センサー又は温度センサーをさらに有してもよい。
【００７１】
通信ユニット１２１６は、装置１２００と他の設備の間の無線又は有線通信を便利にさせるように配置される。装置１２００は、通信標準に基づく無線ネットワーク、例えば、ＷｉＦｉや、２Ｇや、３Ｇ、又はこれらの組み合わせにアクセスできる。１つの例示的な実施例では、通信ユニット１２１６は、放送チャンネルを介して外部の放送管理システムからの放送信号又は放送に関する情報を受信する。１つの例示的な実施例では、前記通信ユニット１２１６は、近距離通信を促進するために近距離無線通信（ＮＦＣ）モジュールをさらに有してもよい。例えば、ＮＦＣモジュールは、無線周波数認証装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【００７２】
例示的な実施例では、装置１２００は、上述した方法を実行するために、１つ又は複数の特定用途向け集積回路（ＡＳIＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子デバイスによって実現されてもよい。
【００７３】
例示的な実施例では、命令を有する非一時的（ｎｏｎ‐ｔｒａｎｓｉｔｏｒｙ）コンピュータ可読記録媒体、例えば、命令を有するメモリ１２０４をさらに提供する。この命令は、装置１２００のプロセッサー１２２０により実行されて前記方法を実現する。例えば、前記非一時的コンピュータ可読記録媒体、ＲＯＭ、ＲＡＭ、ＣＤ−ＲＯＭ、磁気テープ、フロッピーディスク（登録商標）、光データ記憶デバイス等であってもよい。
【００７４】
タッチボタン及び指紋認証を実現する装置は、
プロセッサーと、
前記プロセッサーによって実行可能な命令を記憶するメモリと、を有し、
前記プロセッサーは、
端末機器のホストの命令によってオールインワンスイッチをオン・オフし、
前記オールインワンスイッチがオンされると、複数のサブセンサーでの検出により生成される信号を処理し、
前記オールインワンスイッチがオフされると、前記オールインワンスイッチを介して前記複数のサブセンサーでの検出により生成される信号をタッチ信号に合併し、合併されたタッチ信号によってタッチ操作が生成されるかを判断するように構成される。
【００７５】
前記プロセッサーは、前記複数のサブセンサーでの検出により生成される信号をデジタル信号に変換し、前記デジタル信号を端末機器のホストに伝送するように構成される。
【００７６】
前記プロセッサーは、前記複数のサブセンサーでの検出により生成される信号によって指紋画像を生成し、前記指紋画像を端末機器のホストに伝送するように構成される。
【００７７】
前記プロセッサーは、前記複数のサブセンサーでの検出により生成される信号によって指紋画像を生成し、生成される指紋画像をサンプル画像と比較し、比較結果を端末機器のホストに伝送するように構成される。
【００７８】
前記プロセッサーは、合併されたタッチ信号によってタッチ操作が生成されるかを判断し、判断結果を端末機器のホストに伝送するように構成される。
【００７９】
非一時的コンピュータ可読記録媒体は、前記記録媒体における命令がモバイル端末のプロセッサーにより実行されると、モバイル端末がタッチボタン及び指紋認証を実現する方法を実行するようにする。前記方法は、
前記端末機器のホストの命令によって前記オールインワンスイッチをオン・オフするステップと、
前記オールインワンスイッチがオンされると、複数のサブセンサーでの検出により生成される信号を処理するステップと、
前記オールインワンスイッチがオフされると、前記オールインワンスイッチを介して前記複数のサブセンサーでの検出により生成される信号をタッチ信号に合併し、合併されたタッチ信号によってタッチ操作が生成されるかを判断するステップと、を含む。
【００８０】
前記複数のサブセンサーでの検出により生成される信号を処理するステップは、
前記複数のサブセンサーでの検出のより生成される信号をデジタル信号に変換し、前記デジタル信号を端末機器のホストに伝送するステップを含んでもよい。
【００８１】
前記複数のサブセンサーでの検出により生成される信号を処理するステップは、
前記複数のサブセンサーでの検出により生成される信号によって指紋画像を生成し、前記指紋画像を端末機器のホストに伝送するステップを含んでもよい。
【００８２】
前記複数のサブセンサーでの検出により生成される信号を処理するステップは、
前記複数のサブセンサーでの検出により生成される信号によって指紋画像を生成し、生成される指紋画像をサンプル画像と比較し、比較結果を端末機器のホストに伝送するステップを含んでもよい。
【００８３】
前記合併されたタッチ信号によってタッチ操作を生成するかを判断するステップは、
合併されたタッチ信号によってタッチ操作が生成されるかを判断し、判断結果を端末機器のホストに伝送するステップを含んでもよい。
【００８４】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【００８５】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【図４】
2017506403.tif 000003
【図１】
2017506403.tif 000004
【図２】
2017506403.tif 000005
【図３】
2017506403.tif 000006
【図５】
2017506403.tif 000007
【図６】
2017506403.tif 000008
【図７】
2017506403.tif 000009
【手続補正書】
【提出日】平成27年12月25日(2015.12.25)
【手続補正１】
【補正対象書類名】明細書
【補正対象項目名】全文
【補正方法】変更
【補正の内容】
【発明の詳細な説明】
【技術分野】
【０００１】
当該出願は、出願番号が２０１５１００５０８９３.５であって、出願日が２０１５年１月３０日であり、及び出願番号が２０１５１０００７４１６．０であって、出願日が２０１５年１月７日である中国特許出願を基礎として優先権を主張し、それらの中国特許出願の内容全体は、本願発明に援用される。
【０００２】
本発明は、電子デバイス技術分野に関し、更に詳細には、タッチボタン及び指紋認証を実現する装置、方法、端末機器、並びにプログラム及び記録媒体に関する。
【背景技術】
【０００３】
端末機器である携帯電話の機能が益々増えるにつれて、端末機器の益々多くなる新しい機能によって、ユーザーがより多くの便利を図ることができるようになる。
【０００４】
現在、指紋認証機能は、大きな端末機器メーカーの注目を浴び始めている。現在の端末機器、例えば、携帯電話、タブレットＰＣなどでは、ボタンと指紋認証機能との互換機能を実装するために、一般的に、設計される指紋認証機能は、断面図が図１で示される物理的ボタンの採用と組み合わされる。通常、このような設計を採用する場合、物理的なボタン０２は所定の距離の押し込みのみで機能するため、指紋認証機能領域に対応してカバーガラス０１に開口部を設ける必要がある。ユーザーが指紋認証センサー０３を軽くタッチすると、システムは指紋のみを認証することができ、また、ユーザーが指紋認証センサー０３を所定の距離だけ押し込むと、物理的なボタン０２が起動して、システムは指紋認証及びボタン押し込みの２つの動作を認識することができ、そして、上位レベルの需要に応じて対応する動作を抽出する。しかしながら、前記構造である場合、端末機器の全体的な外観が上記の構造に制限され、ユーザーの操作の利便性も制限される。
【発明の概要】
【発明が解決しようとする課題】
【０００５】
本発明は、関連技術に存在する問題を克服するために、端末機器の集積度を向上できるタッチボタン及び指紋認証を実現する装置、方法、端末機器、並びにプログラム及び記録媒体を提供する。
【課題を解決するための手段】
【０００６】
本発明の第１の態様によれば、タッチボタン及び指紋認証を実現する装置が提供され、前記装置は、
複数のサブセンサーを含む指紋認証センサー、指紋認証回路、オールインワン（ａｌｌ−ｉｎ−ｏｎｅ）スイッチ、及びタッチボタン回路を有し、
前記複数のサブセンサーは、それぞれ前記指紋認証回路に接続され、それぞれ前記オールインワンスイッチに接続され、前記オールインワンスイッチは、前記タッチボタン回路に接続され、
前記指紋認証センサーは、前記オールインワンスイッチがオン（ｏｎ）されると、前記複数のサブセンサーでの検出により生成される信号をそれぞれ前記指紋認証回路に伝送し、前記オールインワンスイッチがオフ（ｏｆｆ）されると、前記オールインワンスイッチを介して前記複数のサブセンサーでの検出により生成される信号をタッチ信号に合併して前記タッチボタン回路に伝送するように構成され、
前記指紋認証回路は、前記複数のサブセンサーでの検出により生成される信号を処理するように構成され、
前記タッチボタン回路は、合併されたタッチ信号によってタッチ操作が生成されるかを判断するように構成される。
【０００７】
一実施例では、前記オールインワンスイッチは、端末機器のホストの命令によってオン・オフするように構成されてもよい。
【０００８】
一実施例では、前記複数のサブセンサーは、ドットマトリクス状、又は長方形のマトリックス状に配列されてもよい。
【０００９】
一実施例では、前記指紋認証回路は、
前記複数のサブセンサーでの検出により生成される信号をデジタル信号に変換し、前記デジタル信号を端末機器のホストに伝送するように構成される信号処理サブモジュールを有してもよい。
【００１０】
一実施例では、前記指紋認証回路は、
前記複数のサブセンサーでの検出により生成される信号によって指紋画像を生成し、前記指紋画像を端末機器のホストに伝送するように構成される画像生成サブモジュールを有してもよい。
【００１１】
一実施例では、前記指紋認証回路は、
前記複数のサブセンサーでの検出により生成される信号によって指紋画像を生成し、生成された指紋画像をサンプル画像と比較し、比較結果を端末機器のホストに伝送するように構成される比較サブモジュールを有してもよい。
【００１２】
一実施例では、前記タッチボタン回路は、
合併されたタッチ信号によってタッチ操作が生成されるかを判断し、判断結果を端末機器のホストに伝送するように構成される判断サブモジュールを有してもよい。
【００１３】
また、本発明の第２の態様によれば、前記いずれかのタッチボタン及び指紋認証を実現する装置を有する端末機器が提供される。
【００１４】
また、本発明の第３の態様によれば、オールインワンスイッチと複数のサブセンサーを含む指紋認証センサーとを有する端末機器に適用されるタッチボタン及び指紋認証を実現する方法が提供され、前記方法は、
前記端末機器のホストの命令によって前記オールインワンスイッチをオン・オフするステップと、
前記オールインワンスイッチがオンされると、複数のサブセンサーでの検出により生成される信号を処理するステップと、
前記オールインワンスイッチがオフされると、前記オールインワンスイッチを介して前記複数のサブセンサーでの検出により生成される信号をタッチ信号に合併し、合併されたタッチ信号によってタッチ操作が生成されるかを判断するステップと、を含む。
【００１５】
一実施例では、前記複数のサブセンサーは、ドットマトリクス状、又は長方形のマトリックス状に配列されてもよい。
【００１６】
一実施例では、前記複数のサブセンサーでの検出により生成される信号を処理するステップは、
前記複数のサブセンサーでの検出により生成される信号をデジタル信号に変換し、前記デジタル信号を端末機器のホストに伝送するステップを含んでもよい。
【００１７】
一実施例では、前記複数のサブセンサーでの検出により生成される信号を処理するステップは、
前記複数のサブセンサーでの検出により生成される信号によって指紋画像を生成し、前記指紋画像を端末機器のホストに伝送するステップを含んでもよい。
【００１８】
一実施例では、前記複数のサブセンサーでの検出により生成される信号を処理するステップは、
前記複数のサブセンサーでの検出により生成される信号によって指紋画像を生成し、生成された指紋画像をサンプル画像と比較し、比較結果を端末機器のホストに伝送するステップを含んでもよい。
【００１９】
一実施例では、前記合併されたタッチ信号によってタッチ操作を生成するかを判断するステップは、
合併されたタッチ信号によってタッチ操作が生成されるかを判断し、判断結果を端末機器のホストに伝送するステップを含んでもよい。
【００２０】
また、本発明の第４の態様によれば、タッチボタン及び指紋認証を実現する装置が提供され、前記装置は、
プロセッサーと、
前記プロセッサーによって実行可能な命令を記憶するメモリと、を有し、
前記プロセッサーは、
端末機器のホストの命令によってオールインワンスイッチをオン・オフし、
前記オールインワンスイッチがオンされると、複数のサブセンサーでの検出により生成される信号を処理し、
前記オールインワンスイッチがオフされると、前記オールインワンスイッチを介して前記複数のサブセンサーでの検出により生成される信号をタッチ信号に合併し、合併されたタッチ信号によってタッチ操作が生成されるかを判断するように構成される。
【００２１】
本発明の第５の態様によれば、
前記プロセッサーに実行されることにより、上記のタッチボタン及び指紋認証を実現する方法を実現する、コンピュータ読取可能な記録媒体に記録されたプログラムを提供する。
【００２２】
本発明の第６の態様によれば、
上記プログラムが記録されたコンピュータ読取可能な記録媒体を提供する。
【発明の効果】
【００２３】
本発明が提供した技術案によれば、少なくとも、以下のような有益な効果を奏することができる。即ち、指紋認証センサーを共用することで指紋認証とタッチボタンの機能を実現でき、指紋認証とタッチボタン機能を実現するための外部要素を１つの要素になるように集積して、電子機器の集積度を向上させて、ユーザーの操作利便性を向上できる。
【００２４】
なお、以上の一般的な記述と、以下の詳細の記述は、ただ例示的なものであって、本発明を限定するものではない。
【図面の簡単な説明】
【００２５】
ここの図面は、明細書に組み入れて本明細書の一部分を構成し、本発明に該当する実施例を例示するとともに、明細書とともに本発明の原理を解釈するように構成される。
【図１】現在の端末機器のタッチボタン構造を示す断面図である。
【図２】一例示的な実施例に係るタッチボタン及び指紋認証を実現する装置を示すブロック図である。
【図３】一例示的な実施例に係るサブセンサーをドットマトリクス状に配列した指紋認証の構成を示す説明図である。
【図４】一例示的な実施例に係るサブセンサーを長方形のマトリクス状に配列した指紋認証の構成を示す説明図である。
【図５】一例示的な第１の実施例に係るタッチボタン及び指紋認証を実現する装置を示すブロック図である。
【図６】一例示的な実施例に係るタッチボタン及び指紋認証を実現する方法を示すフローチャートである。
【図７】一例示的な実施例に係るタッチボタン及び指紋認証を実現する装置に適用されるブロック図である。
【発明を実施するための形態】
【００２６】
ここで、図面に示される例示的な実施例について詳細に説明する。以下、図面に関連して説明する際に、特別な説明がない限り、異なる図面での同一符号は、同一又は類似な要素を示す。以下の例示的な実施例で記載する実施例は、本発明に一致する全ての実施例を代表するわけではない。かえって、それらは、添付される特許請求の範囲で詳細に記載される本発明の一部の態様に一致する装置、及び方法の例に過ぎない。
【００２７】
図２は、一例示的な実施例に係るタッチボタン及び指紋認証を実現する装置を示すブロック図である。図２を参照すると、この装置は、複数のサブセンサーを有する指紋認証センサー２１、指紋認証回路２２、オールインワンスイッチ２３、及びタッチボタン回路２４を有する。
【００２８】
複数のサブセンサーはそれぞれ指紋認証回路２２に接続され、複数のサブセンサーはそれぞれオールインワンスイッチ２３に接続され、オールインワンスイッチ２３はタッチボタンの回路２４に接続される。
【００２９】
指紋認証センサー２１は、オールインワンスイッチ２３がオンされると、複数のサブセンサーでの検出により生成される信号を、それぞれ指紋認証回路２２に伝送し、オールインワンスイッチ２３がオフされると、複数のサブセンサーでの検出により生成される信号を、オールインワンスイッチ２３を介してタッチ信号に合併して、タッチ信号をタッチボタン回路２４に伝送する。
【００３０】
指紋認証回路２２は、複数のサブセンサーでの検出により生成される信号を処理する。
【００３１】
タッチボタン回路２４は、合併されたタッチ信号によってタッチ操作が生成されるかを判断する。
【００３２】
一実施例では、図３及び図４を参照すると、複数のサブセンサーはドットマトリクス状、又は長方形のマトリックス状に配列される。
【００３３】
指紋認証センサーには複数のサブセンサー３２が配列され、サブセンサー３２は、指紋のそれぞれの微細な肝心な情報を検出し、これらの肝心な情報によって指紋の画像を還元して、サンプル映像と一致しているかを対照して分析する。
【００３４】
ドットマトリクス状であっても長方形のマトリックスであっても、いずれもサブセンサーの配列を介して指の指紋信号を指紋認証回路２２に伝送し、さらに信号のフィルタリング、増幅、ＡＤサンプリングなどの処理を経て、指紋チップ（ｃｈｉｐ）に十分なデジタル信号を提供する。サイズが小さく、信号量が少なく、応答面積が小さく、感度が低いという個々の指紋認証センサーの特性のため、サブセンサーの配列は、指のタッチの検出に十分な信号を提供することができず、通常の指のタッチ機能を実現することができない。従って、オールインワンスイッチ２３をオフして、オールインワンスイッチ２３を介して複数のサブセンサーでの検出により生成される信号をタッチ信号に合併してタッチボタン回路２４に伝送する。これによって、タッチボタン回路２４に十分なエネルギーレベルを有する信号を提供することができる。
【００３５】
本発明の実施例が提供する技術案によれば、以下のような有益な効果を奏することができる。即ち、
指紋認証センサーを共用することで、指紋認証とタッチボタンの機能を実現でき、指紋認証とタッチボタン機能を実現するための外部要素を１つの要素になるように集積して、電子機器の集積度を向上させて、ユーザーの操作利便性を向上できる。
【００３６】
第１の実施例
図５は、一例示的な第１の実施例に係るタッチボタン及び指紋認証を実現する装置を示すブロック図である。図３に示すように、装置は、複数のサブセンサー３２を有する指紋認証センサー２１、指紋認証回路２２、オールインワンスイッチ２３、及びタッチボタン回路２４を有する。複数のサブセンサー３２は、長方形のマトリックス状に配列される。図３に示すように、複数のサブセンサー３２は、ドットマトリックス状に配列されてもよい。
【００３７】
本実施例では、指紋認証の構成において、センサーを共有し、新しいタッチボタンの構成を追加して、指紋認証とタッチボタンの兼用機能を実現する。
【００３８】
オールインワンスイッチ２３は、端末機器のホスト３１の命令によってオン・オフされ、指紋認証に応答する必要がある場合は、オールインワンスイッチ２３はオンされ、指紋認証回路２２は複数のサブセンサー３２の信号を取得して指紋認証機能を実現する。また、ホスト３１が指のタッチ機能に応答する場合は、オールインワンスイッチ２３はオフされ、サブセンサー３２のすべてが接続されて一つの大きなセンサーになり、タッチボタン回路２４は、大きなセンサーを介して指のタッチ信号を取得して、指のタッチ機能を完成する。上位レベルのホスト３１の需要に応じて、複数のサブセンサーは接続されて一つの大きなセンサーとなり、タッチボタン回路２４に十分に強い信号を提供することができ、同時に、指のタッチが要求する感度、応答面積、応答速度を保証することができる。
【００３９】
一実施例では、指紋認証回路２２は、
複数のサブセンサー３２での検出により生成される信号をデジタル信号に変換し、デジタル信号を端末機器のホスト３１に伝送するように構成される信号処理サブモジュールを有してもよい。
【００４０】
例えば、複数のサブセンサー３２での検出により生成される信号をフィルタリング、増幅、サンプリングして、複数のサブセンサー３２での検出により生成される信号をデジタル信号に変換する。
【００４１】
一実施例では、指紋認証回路２２は、
複数のサブセンサー３２での検出により生成される信号によって指紋画像を生成し、指紋画像を端末機器のホスト３１に伝送するように構成される画像生成サブモジュールを有してもよい。
【００４２】
一実施例では、指紋認証回路２２は、
複数のサブセンサー３２での検出により生成される信号によって指紋画像を生成し、生成される指紋画像をサンプル画像と比較し、比較結果を端末機器のホスト３１に伝送するように構成される比較サブモジュールを有してもよい。
【００４３】
一実施例では、タッチボタン回路２４は、
合併されたタッチ信号によってタッチ操作が生成されるかを判断し、判断結果を端末機器のホスト３１に伝送するように構成される判断サブモジュールを有してもよい。
【００４４】
本発明は、ＩＣ（集積回路）の処理を分離し、センサーを共有する方式を採用する。上記図面に示されたように、集積度がさらに高い方式を採用することもできる。例えば、オールインワンスイッチ２３をタッチボタン回路２４と一緒に同一のＩＣに集積してもよく、オールインワンスイッチ２３を指紋認証回路２２と一緒に同一のＩＣに集積してもよく、また、オールインワンスイッチ２３、指紋認証回路２２及びタッチボタン回路２４を同時に同一のＩＣに集積してもよい。これによって、集積度がもっと高い解決手段を提供することができる。
【００４５】
本発明の実施例が提供する技術案によれば、以下のような有益な効果を奏することができる。即ち、
指紋認証センサーを共用することで、指紋認証とタッチボタンの機能を実現でき、指紋認証とタッチボタン機能を実現するための外部要素を１つの要素になるように集積して、電子機器の集積度を向上させて、ユーザーの操作利便性を向上できる。
【００４６】
本発明は、いずれかのタッチボタン及び指紋認証を実現する装置を有するように構成される端末機器を提供する。
【００４７】
一実施例では、端末機器は、前記いずれかのタッチボタン及び指紋認証を実現する装置及びホストを有する。
【００４８】
本発明の実施例が提供する技術案によれば、以下のような有益な効果を奏することができる。即ち、
指紋認証センサーを共用することで、指紋認証とタッチボタンの機能を実現でき、指紋認証とタッチボタン機能を実現するための外部要素を１つの要素になるように集積して、電子機器の集積度を向上させて、ユーザーの操作利便性を向上できる。
【００４９】
図６は、一例示的な実施例に係るタッチボタン及び指紋認証を実現する方法を示すフローチャートであり、例えば、携帯電話や、タブレットＰＣなどの端末機器に適用される。端末機器は、オールインワンスイッチと、複数のサブセンサーを有する指紋認証センサーを含む。ここで、複数のサブセンサーはドットマトリクス状、又は長方形のマトリクス状に配列されてもよい。図６に示すように、ステップＳ６０１−ステップＳ６０３を含む。
【００５０】
ステップＳ６０１：端末機器のホストの命令によってオールインワンスイッチをオン・オフする。
【００５１】
ステップＳ６０２：オールインワンスイッチがオンされると、複数のサブセンサーでの検出により生成される信号を処理する。
【００５２】
一実施例では、前記複数のサブセンサーでの検出により生成される信号を処理するステップは、複数のサブセンサーでの検出により生成される信号をデジタル信号に変換し、デジタル信号を端末機器のホストに伝送するステップを含んでもよい。
【００５３】
例えば、複数のサブセンサーでの検出により生成される信号をフィルタリング、増幅、サンプリングして、複数のサブセンサーでの検出により生成される信号をデジタル信号に変換する。
【００５４】
本実施例では、複数のサブセンサーでの検出により生成される信号をデジタル信号に変換し、デジタル信号を端末機器のホストに伝送する。端末機器のホストは、受信されるデジタル信号によって指紋画像を生成し、指紋画像をサンプル画像と比較して比較結果を取得し、比較結果によって後続の操作を行う。例えば、比較結果によってロック解除をするかを判断し、比較結果が一致する場合ロックを解除し、比較結果が一致しない場合、ロックを解除しない。
【００５５】
一実施例では、前記複数のサブセンサーでの検出により生成される信号を処理するステップは、複数のサブセンサーでの検出により生成される信号によって指紋画像を生成して、指紋画像を端末機器のホストに伝送するステップを含んでもよい。
【００５６】
本実施例では、複数のサブセンサーでの検出により生成される信号によって指紋画像を生成し、指紋画像を端末機器のホストに伝送する。端末機器のホストは、指紋画像とサンプル画像とを比較して比較結果を取得し、比較結果によって後続の操作を行う。例えば、比較結果によってロック解除をするかを判断し、比較結果が一致する場合ロックを解除し、比較結果が一致しない場合ロックを解除しない。
【００５７】
一実施例では、前記複数のサブセンサーでの検出により生成される信号を処理するステップは、複数のサブセンサーでの検出により生成される信号によって指紋画像を生成し、生成される指紋画像をサンプル画像と比較し、比較結果を端末機器のホストに伝送するステップを含んでもよい。
【００５８】
本実施例では、複数のサブセンサーでの検出により生成される信号によって指紋画像を生成し、生成される指紋画像をサンプル画像と比較し、比較結果を端末機器のホストに伝送する。端末機器のホストは、比較結果によって後続の操作を行う。例えば、比較結果によってロック解除をするかを判断し、比較結果が一致する場合ロックを解除し、比較結果が一致しない場合ロックを解除しない。
【００５９】
ステップＳ６０３：オールインワンスイッチがオフされると、オールインワンスイッチを介して複数のサブセンサーでの検出により生成される信号をタッチ信号に合併し、合併されたタッチ信号によってタッチ操作が生成されるかを判断する。
【００６０】
一実施例では、前記合併されたタッチ信号によってタッチ操作が生成されるかを判断するステップは、合併されたタッチ信号によってタッチ操作が生成されるかを判断し、判断結果を端末機器のホストに伝送するステップを含んでもよい。
【００６１】
例えば、オールインワンスイッチは端末機器のホストの命令によってオン・オフされ、指紋認証に応答する必要がある場合は、オールインワンスイッチはオンされ、複数のサブセンサーの信号を取得して指紋認証機能を完成する。また、ホストが指のタッチ機能に応答する場合は、オールインワンスイッチはオフされ、サブセンサーのすべてが接続されて一つの大きなセンサーになり、当該大きなセンサーを介して指のタッチ信号を取得して指のタッチ機能を完成する。上位レベルのホストの需要に応じて、複数のサブセンサーを接続して一つの大きなセンサーを構成し、十分に強い信号を提供してタッチ操作が生成されるかを判断することができ、指のタッチが要求する感度、応答面積、応答速度を保証することができる。
【００６２】
本発明が提供する技術案によれば、以下のような有益な効果を奏することができる。即ち、指紋認証センサーを共用することで、指紋認証とタッチボタンの機能を実現でき、指紋認証とタッチボタン機能を実現するための外部要素を１つの要素になるように集積して、電子機器の集積度を向上させて、ユーザーの操作利便性を向上できる。
【００６３】
図７は、一例示的な実施例に係るタッチボタン及び指紋認証を実現する装置１２００のブロック図であり、当該装置は端末機器に適用される。例えば、装置１２００は、携帯電話、コンピュータ、デジタル放送端末機器、メッセージ送受信装置、ゲームコンソール、タブレット装置、医療設備、フィットネス装置、ＰＤＡなどであってもよい。
【００６４】
図７を参照すると、装置１２００は、処理ユニット１２０２、メモリ１２０４、電源ユニット１２０６、マルチメディアユニット１２０８、オーディオユニット１２１０、入出力（Ｉ／Ｏ）インターフェース１２１２、センサーユニット１２１４、及び通信ユニット１２１６からなる群から選ばれる少なくとも１つを有してもよい。
【００６５】
処理ユニット１２０２は、一般的には、装置１２００の全体の操作、例えば、表示、電話呼び出し、データ通信、カメラ操作、及び記録操作に関連する操作を制御する。処理ユニット１２０２は、上述した方法におけるステップの一部又は全部を実現できるように、命令を実行する少なくとも１つのプロセッサー１２２０を有してもよい。また、処理ユニット１２０２は、他のユニットとのインタラクションを便利にさせるように、少なくとも１つのモジュールを有してもよい。例えば、処理ユニット１２０２は、マルチメディアユニット１２０８との相互作用を容易にするように、マルチメディアモジュールを有してもよい。
【００６６】
メモリ１２０４は、装置１２００での操作をサポートするように、各種のデータを記憶するように配置される。これらのデータは、例えば、装置１２００で何れのアプリケーション又は方法を操作するための命令、連絡先データ、電話帳データ、メッセージ、画像、ビデオ等を有する。メモリ１２０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ−Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｂｅｒ）、磁気メモリ、フラッシュメモリ、磁気ディスク、或いは光ディスクにより、或いはこれらの組み合わせにより実現することができる。
【００６７】
電源ユニット１２０６は、装置１２００の各種ユニットに電力を供給するためのものであり、電源管理システム、１つ又は複数の電源、及び装置１２００のために電力を生成、管理及び分配することに関連する他のユニットを有してもよい。
【００６８】
マルチメディアユニット１２０８は、装置１２００とユーザーの間に出力インターフェースを提供するスクリーンを有してもよい。スクリーンは、例えば、液晶ディスプレイ（ＬＣＤ）やタッチパネル（ＴＰ）を有してもよい。スクリーンは、タッチパネルを有する場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１２０８は、フロントカメラ及び／又はバックカメラを有してもよい。装置１２００が、例えば、撮影モードやビデオモードのような操作モードにある時、フロントカメラ及び／又はバックカメラが外部のマルチメディアデータを受信できる。フロントカメラ及びバックカメラのそれぞれは、固定の光学レンズ系であってもよいし、焦点距離及び光学ズーム能力を有するものであってもよい。  
【００６９】
オーディオユニット１２１０は、オーディオ信号を出力及び／又は入力するように配置される。例えば、オーディオユニット１２１０は、マイクロフォン（ＭＩＣ）を有してもよい。装置１２００が、例えば、呼び出しモード、記録モード、又は音声認証モードのような操作モードにあるとき、マイクロフォンは、外部のオーディオ信号を受信するように配置される。受信したオーディオ信号は、メモリ１２０４にさらに記憶されてもよいし、通信ユニット１２１６を介して送信されてもよい。一実施例では、オーディオユニット１２１０は、オーディオ信号を出力するためのスピーカをさらに有してもよい。
【００７０】
Ｉ／Ｏインターフェース１２１２は、処理ユニット１２０２と外部のインターフェースモジュールの間にインターフェースを提供するためのものである。前記外部のインターフェースモジュールは、キーボードや、クリックホイールや、ボタン等であってもよい。これらのボタンは、ホームボタンや、音量ボタンや、スタートボタンや、ロックボタンであってもよいが、これらに限らない。
【００７１】
センサーユニット１２１４は、装置１２００のために各方面の状態を評価する少なくとも１つのセンサーを有してもよい。例えば、センサーユニット１２１４は、装置１２００のオン／オフ状態や、ユニットの相対的な位置を検出することができる。
【００７２】
例えば、ユニットが装置１２００のディスプレイ及びキーパッドである。センサーユニット１２１４は、装置１２００又は装置１２００の１つのユニットの位置の変化や、ユーザーが装置１２００に接触しているか否かや、装置１２００の方向又は加速／減速や、装置１２００の温度変化を検出することができる。センサーユニット１２１４は、何れの物理的な接触もない場合に付近の物体を検出するように配置される近接センサーを有してもよい。センサーユニット１２１４は、イメージアプリケーションに用いるための光センサー、例えば、ＣＭＯＳ又はＣＣＤ画像センサーを有してもよい。一実施例では、該センサーユニット１２１４は、加速度センサー、ジャイロスコープセンサー、磁気センサー、圧力センサー又は温度センサーをさらに有してもよい。
【００７３】
通信ユニット１２１６は、装置１２００と他の設備の間の無線又は有線通信を便利にさせるように配置される。装置１２００は、通信標準に基づく無線ネットワーク、例えば、ＷｉＦｉや、２Ｇや、３Ｇ、又はこれらの組み合わせにアクセスできる。１つの例示的な実施例では、通信ユニット１２１６は、放送チャンネルを介して外部の放送管理システムからの放送信号又は放送に関する情報を受信する。１つの例示的な実施例では、前記通信ユニット１２１６は、近距離通信を促進するために近距離無線通信（ＮＦＣ）モジュールをさらに有してもよい。例えば、ＮＦＣモジュールは、無線周波数認証装置（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（登録商標）（ＢＴ：Ｂｌｕｅｔｏｏｔｈ（登録商標））技術及び他の技術によって実現されてもよい。
【００７４】
例示的な実施例では、装置１２００は、上述した方法を実行するために、１つ又は複数の特定用途向け集積回路（ＡＳIＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラム可能論理デバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子デバイスによって実現されてもよい。
【００７５】
例示的な実施例では、命令を有する非一時的（ｎｏｎ‐ｔｒａｎｓｉｔｏｒｙ）コンピュータ可読記録媒体、例えば、命令を有するメモリ１２０４をさらに提供する。この命令は、装置１２００のプロセッサー１２２０により実行されて前記方法を実現する。例えば、前記非一時的コンピュータ可読記録媒体、ＲＯＭ、ＲＡＭ、ＣＤ−ＲＯＭ、磁気テープ、フロッピーディスク（登録商標）、光データ記憶デバイス等であってもよい。
【００７６】
タッチボタン及び指紋認証を実現する装置は、
プロセッサーと、
前記プロセッサーによって実行可能な命令を記憶するメモリと、を有し、
前記プロセッサーは、
端末機器のホストの命令によってオールインワンスイッチをオン・オフし、
前記オールインワンスイッチがオンされると、複数のサブセンサーでの検出により生成される信号を処理し、
前記オールインワンスイッチがオフされると、前記オールインワンスイッチを介して前記複数のサブセンサーでの検出により生成される信号をタッチ信号に合併し、合併されたタッチ信号によってタッチ操作が生成されるかを判断するように構成される。
【００７７】
前記プロセッサーは、前記複数のサブセンサーでの検出により生成される信号をデジタル信号に変換し、前記デジタル信号を端末機器のホストに伝送するように構成される。
【００７８】
前記プロセッサーは、前記複数のサブセンサーでの検出により生成される信号によって指紋画像を生成し、前記指紋画像を端末機器のホストに伝送するように構成される。
【００７９】
前記プロセッサーは、前記複数のサブセンサーでの検出により生成される信号によって指紋画像を生成し、生成される指紋画像をサンプル画像と比較し、比較結果を端末機器のホストに伝送するように構成される。
【００８０】
前記プロセッサーは、合併されたタッチ信号によってタッチ操作が生成されるかを判断し、判断結果を端末機器のホストに伝送するように構成される。
【００８１】
非一時的コンピュータ可読記録媒体は、前記記録媒体における命令がモバイル端末のプロセッサーにより実行されると、モバイル端末がタッチボタン及び指紋認証を実現する方法を実行するようにする。前記方法は、
前記端末機器のホストの命令によって前記オールインワンスイッチをオン・オフするステップと、
前記オールインワンスイッチがオンされると、複数のサブセンサーでの検出により生成される信号を処理するステップと、
前記オールインワンスイッチがオフされると、前記オールインワンスイッチを介して前記複数のサブセンサーでの検出により生成される信号をタッチ信号に合併し、合併されたタッチ信号によってタッチ操作が生成されるかを判断するステップと、を含む。
【００８２】
前記複数のサブセンサーでの検出により生成される信号を処理するステップは、
前記複数のサブセンサーでの検出のより生成される信号をデジタル信号に変換し、前記デジタル信号を端末機器のホストに伝送するステップを含んでもよい。
【００８３】
前記複数のサブセンサーでの検出により生成される信号を処理するステップは、
前記複数のサブセンサーでの検出により生成される信号によって指紋画像を生成し、前記指紋画像を端末機器のホストに伝送するステップを含んでもよい。
【００８４】
前記複数のサブセンサーでの検出により生成される信号を処理するステップは、
前記複数のサブセンサーでの検出により生成される信号によって指紋画像を生成し、生成される指紋画像をサンプル画像と比較し、比較結果を端末機器のホストに伝送するステップを含んでもよい。
【００８５】
前記合併されたタッチ信号によってタッチ操作を生成するかを判断するステップは、
合併されたタッチ信号によってタッチ操作が生成されるかを判断し、判断結果を端末機器のホストに伝送するステップを含んでもよい。
【００８６】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開示していない本技術分野の公知知識、又は通常の技術手段を含む。明細書及び実施例は、単に例示的なものであって、本発明の本当の範囲と主旨は、以下の特許請求の範囲によって示される。
【００８７】
本発明は、上記で記述され、図面で図示した特定の構成に限定されず、その範囲を離脱しない状況で、様々な修正や変更を実施してもよい。本発明の範囲は、添付される特許請求の範囲のみにより限定される。
【手続補正２】
【補正対象書類名】特許請求の範囲
【補正対象項目名】全文
【補正方法】変更
【補正の内容】
【特許請求の範囲】
【請求項１】
複数のサブセンサーを含む指紋認証センサー、指紋認証回路、オールインワンスイッチ、及び、タッチボタン回路を備え、
前記複数のサブセンサーは、それぞれ前記指紋認証回路に接続され、それぞれ前記オールインワンスイッチに接続され、前記オールインワンスイッチは、前記タッチボタン回路に接続され、
前記指紋認証センサーは、前記オールインワンスイッチがオンされると、前記複数のサブセンサーでの検出により生成される信号をそれぞれ前記指紋認証回路に伝送し、前記オールインワンスイッチがオフされると、前記オールインワンスイッチを介して前記複数のサブセンサーでの検出により生成される信号をタッチ信号に合併して前記タッチボタン回路に伝送するように構成され、
前記指紋認証回路は、前記複数のサブセンサーでの検出により生成される信号を処理するように構成され、
前記タッチボタン回路は、合併されたタッチ信号によってタッチ操作が生成されるかを判断するように構成されることを特徴とする、
タッチボタン及び指紋認証を実現する装置。
【請求項２】
前記オールインワンスイッチは、端末機器のホストの命令によってオン・オフするように構成されることを特徴とする、
請求項１に記載のタッチボタン及び指紋認証を実現する装置。
【請求項３】
前記複数のサブセンサーは、ドットマトリクス状、又は長方形のマトリックス状に配列されることを特徴とする、
請求項１に記載のタッチボタン及び指紋認証を実現する装置。
【請求項４】
前記指紋認証回路は、
前記複数のサブセンサーでの検出により生成される信号をデジタル信号に変換し、前記デジタル信号を端末機器のホストに伝送するように構成される信号処理サブモジュールを備えることを特徴とする、
請求項１に記載のタッチボタン及び指紋認証を実現する装置。
【請求項５】
前記指紋認証回路は、
前記複数のサブセンサーでの検出により生成される信号によって指紋画像を生成し、前記指紋画像を端末機器のホストに伝送するように構成される画像生成サブモジュールを備えることを特徴とする、
請求項１に記載のタッチボタン及び指紋認証を実現する装置。
【請求項６】
前記指紋認証回路は、
前記複数のサブセンサーでの検出により生成される信号によって指紋画像を生成し、生成された指紋画像をサンプル画像と比較し、比較結果を端末機器のホストに伝送するように構成される比較サブモジュールを備えることを特徴とする、
請求項１に記載のタッチボタン及び指紋認証を実現する装置。
【請求項７】
前記タッチボタン回路は、
合併されたタッチ信号によってタッチ操作が生成されるかを判断し、判断結果を端末機器のホストに伝送するように構成される判断サブモジュールを備えることを特徴とする、
請求項１に記載のタッチボタン及び指紋認証を実現する装置。
【請求項８】
請求項１乃至請求項７のうちいずれか１項に記載のタッチボタン及び指紋認証を実現する装置を備える、
端末機器。
【請求項９】
オールインワンスイッチと複数のサブセンサーを含む指紋認証センサーとを備える端末機器に適用されるタッチボタン及び指紋認証を実現する方法において、前記方法は、
前記端末機器のホストの命令によって前記オールインワンスイッチをオン・オフするステップと、
前記オールインワンスイッチがオンされると、前記複数のサブセンサーでの検出により生成される信号を処理するステップと、
前記オールインワンスイッチがオフされると、前記オールインワンスイッチを介して前記複数のサブセンサーでの検出により生成される信号をタッチ信号に合併し、合併されたタッチ信号によってタッチ操作が生成されるかを判断するステップと、を含むことを特徴とする、
タッチボタン及び指紋認証を実現する方法。
【請求項１０】
前記複数のサブセンサーは、ドットマトリクス状、又は長方形のマトリックス状に配列されることを特徴とする、
請求項９に記載のタッチボタン及び指紋認証を実現する方法。
【請求項１１】
前記複数のサブセンサーでの検出により生成される信号を処理するステップは、
前記複数のサブセンサーでの検出により生成される信号をデジタル信号に変換し、前記デジタル信号を端末機器のホストに伝送するステップを含むことを特徴とする、
請求項９に記載のタッチボタン及び指紋認証を実現する方法。
【請求項１２】
前記複数のサブセンサーでの検出により生成される信号を処理するステップは、
前記複数のサブセンサーでの検出により生成される信号によって指紋画像を生成し、前記指紋画像を端末機器のホストに伝送するステップを含むことを特徴とする、
請求項９に記載のタッチボタン及び指紋認証を実現する方法。
【請求項１３】
前記複数のサブセンサーでの検出により生成される信号を処理するステップは、
前記複数のサブセンサーでの検出により生成される信号によって指紋画像を生成し、生成される指紋画像をサンプル画像と比較し、比較結果を端末機器のホストに伝送するステップを含むことを特徴とする、
請求項９に記載のタッチボタン及び指紋認証を実現する方法。
【請求項１４】
前記合併されたタッチ信号によってタッチ操作を生成するかを判断するステップは、
前記合併されたタッチ信号によってタッチ操作が生成されるかを判断し、判断結果を端末機器のホストに伝送するステップを含むことを特徴とする、
請求項９に記載のタッチボタン及び指紋認証を実現する方法。
【請求項１５】
プロセッサーと、
前記プロセッサーによって実行可能な命令を記憶するメモリと、を備え、
前記プロセッサーは、
端末機器のホストの命令によってオールインワンスイッチをオン・オフし、
前記オールインワンスイッチがオンされると、複数のサブセンサーでの検出により生成される信号を処理し、
前記オールインワンスイッチがオフされると、前記オールインワンスイッチを介して前記複数のサブセンサーでの検出により生成される信号をタッチ信号に合併し、合併されたタッチ信号によってタッチ操作が生成されるかを判断するように構成されることを特徴とする、
タッチボタン及び指紋認証を実現する装置。
【請求項１６】
前記プロセッサーに実行されることにより、請求項９−１４のいずれか１項に記載のタッチボタン及び指紋認証を実現する方法を実現する、コンピュータ読取可能な記録媒体に記録されたプログラム。
【請求項１７】
請求項１６に記載のプログラムが記録されたコンピュータ読取可能な記録媒体。
【国際調査報告】
2017506403.tif 000010
2017506403.tif 000011
2017506403.tif 000012
2017506403.tif 000013